(57)【特許請求の範囲】
【請求項１】
受信系のＩＦ周波数を調整し、受信と送信に用いる局発信号を同帯域の信号とすることにより、受信系と送信系との二系統の回路を共通化し、送受信時分割の通信システムにおける信号発生器であって、ディジタルシンセサイザ部の出力をディジタル変調部に接続し、前記ディジタル変調部の出力をＤ／Ａコンバータ部に接続し、前記Ｄ／Ａコンバータ部の出力をバンドパスフィルタ部に接続し、前記バンドパスフィルタ部の出力と発振子のてい倍波出力をミキサ部に接続し、前記ミキサ部の出力を帯域外ノイズ除去フィルタに接続し、出力信号とする信号発生器において、前記ディジタルシンセサイザ部は論理回路により任意の周波数信号を発生し、前記ディジタル変調部は入力信号を変調波または無変調波に変換し、前記Ｄ／Ａコンバータ部はディジタル信号をアナログ信号に変換し、前記バンドパスフィルタ部は入力されたアナログ信号の不用波を除去したＲＦ信号とし、前記発振子はディジタル部基準信号を生成しその信号のてい倍波を出力とし、前記ミキサ部は局発信号とＲＦ信号とを入力することにより高周波信号に周波数変換し、前記帯域外ノイズ除去フィルタは高周波信号のノイズを除去し、出力信号とすることを特徴とする信号発生器。
【発明の詳細な説明】
【０００１】
【発明の属する技術分野】
本発明は、高周波の無線機における局初信号や変調波信号等の信号発生器に関するものである。
【０００２】
【従来の技術】
図４は、従来の信号発生器のブロック図である。１はＰＬＬ部、２はＶＣＯ部、３はループフィルタ部である。
【０００３】
次に動作について説明する。ＰＬＬ部１はループフィルタ部３を介してＶＣＯ部２の可変端子に接続されており、ＶＣＯ部２の出力は分配され片方は出力、他方はＰＬＬ部１のフィードバック端子と接続されている構成となっている。ここで、ＶＣＯ部２では可変端子にかける電圧により任意の周波数に発振周波数を変化させることが出来る。
【０００４】
次に動作の説明であるが、ＶＣＯ部２では電源がＯＮになると一定の周波数内の任意の周波数信号が発生する、この時発生している信号は不安定であり、常に周波数が動いており、通信器の信号に用いる事は出来ない。ある周波数に固定するためには外部から入力されたチャンネル設定信号により一定の周波数に固定するのであるが、外部から入力されたチャンネル設定信号がＰＬＬ部１に入力されると、ＰＬＬ部１では設定周波数になるようにループフィルタ部３に接続した端子の電圧を変化させる。この変化をループフィルタ部３でなめらかな変化にし、ＶＣＯ部２に出力する。ＶＣＯ部２では可変端子にかかる電圧に合う周波数の信号を発振し、ＰＬＬ部１のフィードバック端子に返す。ＰＬＬ部１では再度、周波数を調整するようにループフィルタ部３に接続した端子の電圧を変化させる。このような動作を繰り返すことにより任意の固定周波数を発生する構成となっている。
【０００５】
【発明が解決しようとする課題】
しかしながら、上記従来の信号発生器ではＶＣＯ部及びループフィルタ部は振動による特性変化が顕著であるため、振動に弱いという特性をもっており、車載等のシステムに対応するためには減振器等の部品がさらに必要となるいう問題があった。
【０００６】
そこで本発明は、ＶＣＯ部及びループフィルタ部を用いずに高い周波数を発生できる信号発生器を提供することを目的としている。
【０００７】
【課題を解決するための手段】
そこで、本発明の信号発生器は、受信系のＩＦ周波数を調整し、受信と送信に用いる局発信号を同帯域の信号とすることにより、受信系と送信系との二系統の回路を共通化し、送受信時分割の通信システムにおける信号発生器であって、ディジタルシンセサイザ部の出力をディジタル変調部に接続し、前記ディジタル変調部の出力をＤ／Ａコンバータ部に接続し、前記Ｄ／Ａコンバータ部の出力をバンドパスフィルタ部に接続し、前記バンドパスフィルタ部の出力と発振子のてい倍波出力をミキサ部に接続し、前記ミキサ部の出力を帯域外ノイズ除去フィルタに接続し、出力信号とする信号発生器において、前記ディジタルシンセサイザ部は論理回路により任意の周波数信号を発生し、前記ディジタル変調部は入力信号を変調波または無変調波に変換し、前記Ｄ／Ａコンバータ部はディジタル信号をアナログ信号に変換し、前記バンドパスフィルタ部は入力されたアナログ信号の不用波を除去したＲＦ信号とし、前記発振子はディジタル部基準信号を生成しその信号のてい倍波を出力とし、前記ミキサ部は局発信号とＲＦ信号とを入力することにより高周波信号に周波数変換し、前記帯域外ノイズ除去フィルタは高周波信号のノイズを除去し、出力信号とするように構成した。
【０００８】
この構成により、ＶＣＯ部及びループフィルタ部を用いずに高い周波数を発生できる信号発生器を実現できる。
【０００９】
【発明の実施の形態】
請求項１の発明は、受信系のＩＦ周波数を調整し、受信と送信に用いる局発信号を同帯域の信号とすることにより、受信系と送信系との二系統の回路を共通化し、送受信時分割の通信システムにおける信号発生器であって、ディジタルシンセサイザ部の出力をディジタル変調部に接続し、前記ディジタル変調部の出力をＤ／Ａコンバータ部に接続し、前記Ｄ／Ａコンバータ部の出力をバンドパスフィルタ部に接続し、前記バンドパスフィルタ部の出力と発振子のてい倍波出力をミキサ部に接続し、前記ミキサ部の出力を帯域外ノイズ除去フィルタに接続し、出力信号とする信号発生器において、前記ディジタルシンセサイザ部は論理回路により任意の周波数信号を発生し、前記ディジタル変調部は入力信号を変調波または無変調波に変換し、前記Ｄ／Ａコンバータ部はディジタル信号をアナログ信号に変換し、前記バンドパスフィルタ部は入力されたアナログ信号の不用波を除去したＲＦ信号とし、前記発振子はディジタル部基準信号を生成しその信号のてい倍波を出力とし、前記ミキサ部は局発信号とＲＦ信号とを入力することにより高周波信号に周波数変換し、前記帯域外ノイズ除去フィルタは高周波信号のノイズを除去し、出力信号とする。
【００１３】
（実施の形態１）
図１は本発明の実施の形態１における信号発生器のブロック図を示している。４はディジタルシンセサイザ部、５はＤ／Ａコンバータ部、６はバンドパスフィルタ部、７は発振子、８はミキサ部、９は帯域外ノイズ除去フィルタである。
【００１４】
ディジタルシンセサイザ部４の出力をＤ／Ａコンバータ部５に接続し、Ｄ／Ａコンバータ部５の出力をバンドパスフィルタ部６に接続し、バンドパスフィルタ部６の出力と発振子７の出力をミキサ部８に接続し、ミキサ部８の出力を帯域外ノイズ除去フィルタ９に接続する構成となっている。
【００１５】
次に動作の説明を行う。論理回路により任意の周波数信号を発生するように構成したディジタルシンセサイザ部４から出力されるディジタル信号をＤ／Ａコンバータ部５でアナログ信号に変換し、バンドパスフィルタ部６を用いて不用波を除去したアナログ信号をＲＦ信号とし、ディジタル部基準信号を生成する発振子７の出力のてい倍波を局発信号としてミキサ部８に入力することにより高周波信号に周波数変換し、その高周波信号を帯域外ノイズ除去フィルタ９を用いてノイズを除去し、通信器の局発信号とする。ただし、発振子の出力になんらかのフィルタを用いて不用波を除去してもよい。このようにしてＰＬＬ部１、ＶＣＯ部２及びループフィルタ部３なしに信号を発生することができ、振動に強い信号発生器を実現できる。
【００１６】
（実施の形態２）
次に、図２は本発明の実施の形態２における信号発生器のブロック図である。１０はディジタル変調部、１１は受信ミキサ部、１２は送信ミキサ部、１３は受信用発振子、１４は送信用発振子、１５は受信用帯域外ノイズ除去フィルタ、１６は送信用帯域外ノイズ除去フィルタを示している。
【００１７】
ディジタルシンセサイザ部４の出力をディジタル変調部１０に接続し、ディジタル変調部１０の出力をＤ／Ａコンバータ部５に接続、Ｄ／Ａコンバータ部５の出力をバンドパスフィルタ部６に接続し、バンドパスフィルタ部６の出力をそれぞれ受信ミキサ部１１と送信ミキサ部１２のＲＦ入力端子に、また受信用発振子１３及び送信用発振子１４の出力もそれぞれ受信ミキサ部１１と送信ミキサ部１２の局発端子に接続し、受信ミキサ部１１及び送信ミキサ部１２の出力を受信用帯域外ノイズ除去フィルタ１５及び送信用帯域外ノイズ除去フィルタ１６に接続する構成となっている。
【００１８】
次に動作の説明を行う。ディジタルシンセサイザ部４で生成した無変調信号をディジタル変調部１０で送信には変調波に加工、受信にはそのまま無変調波として出力、そのディジタル信号をＤ／Ａコンバータ部５でアナログ信号に変換、そのアナログ信号をバンドパスフィルタ部６にて不用波を除去し、受信と送信の二系統に分け、受信ミキサ部１１では受信用発振子１３のてい倍波とバンドパスフィルタ部６の出力を掛け合わせて高周波信号に変換し、送信には送信ミキサ部１２では送信用発振子１４のてい倍波とバンドパスフィルタ部６の出力を掛け合わせて高周波信号に変換する、ここで発振子の艇倍波のみをとりだすために受信用発振子１３及び送信用発振子１４の出力に何らかのフィルタを用いても良い。
【００１９】
受信用帯域外ノイズ除去フィルタ１５及び送信用帯域外ノイズ除去フィルタ１６により受信ミキサ部１１の出力信号と送信ミキサ部１２の出力信号からそれぞれ不用波を除去し、通信器の信号をする。このようにＰＬＬ部１、ＶＣＯ部２及びループフィルタ部３なしに、受信系と送信系の周波数が違うディファレンシャル系システムの通信器に対応した局発信号を発生することができ、振動に強い構成の信号発生器を実現できる。
【００２０】
（実施の形態３）
次に、図３は本発明の実施の形態３における信号発生器のブロック図を示している。ディジタルシンセサイザ部４の出力をディジタル変調部１０に接続し、ディジタル変調部１０の出力をＤ／Ａコンバータ部５に接続し、Ｄ／Ａコンバータ部５の出力をバンドパスフィルタ部６に接続し、発振子７の出力とバンドパスフィルタ部６の出力をミキサ部８に接続し、ミキサ部８の出力を帯域外ノイズ除去フィルタ９に接続する。
【００２１】
次に動作の説明を行う。実施の形態１においては、ディジタルシンセサイザ部４とＤ／Ａコンバータ部５の間にディジタル変調部１０を設け、変調波と無変調波を選んで生成できるようにした構成であるが、実施の形態３においては、受信系のＩＦ周波数を送信と受信に用いる局発信号が同帯域の信号となるように調整することにより、受信と送信の回路を共通化することができるようにしたものである。ただし、送受信が時分割になっている通信システムに特化したものである。このようにＰＬＬ部１、ＶＣＯ部２及びループフィルタ部３なしに、受信系と送信系の周波数が違う時分割のディファレンシャル系システムの通信器に対応した信号をさらに簡単な構成で発生することができ、振動に強い構成の信号発生器を実現できる。
【００２２】
【発明の効果】
本発明によれば、受信系のＩＦ周波数を送信と受信に用いる局発信号が同帯域の信号となるように調整することにより、受信と送信の回路を共通化することができる。ただし、送受信が時分割になっているに通信システムに特化したものである。このようにＰＬＬ部、ＶＣＯ部及びループフィルタ部なしに、受信系と送信系の周波数が違うディファレンシャル系システムの通信器に対応した局発信号をさらに簡単な構成で発生することができ、振動に強い構成の信号発生器を実現している。
【図面の簡単な説明】
【図１】本発明の実施の形態１における信号発生器のブロック図
【図２】本発明の実施の形態２における信号発生器のブロック図
【図３】本発明の実施の形態３における信号発生器のブロック図
【図４】従来の信号発生器のブロック図
【符号の説明】
１  ＰＬＬ部
２  ＶＣＯ部
３  ループフィルタ部
４  ディジタルシンセサイザ部
５  Ｄ／Ａコンバータ部
６  バンドパスフィルタ部
７  発振子
８  ミキサ部
９  帯域外ノイズ除去フィルタ
１０  ディジタル変調部
１１  受信ミキサ部
１２  送信ミキサ部
１３  受信用発振子
１４  送信用発振子
１５  受信用帯域外ノイズ除去フィルタ
１６  送信用帯域外ノイズ除去フィルタ
【図１】
0004110668.tif 000002
【図２】
0004110668.tif 000003
【図３】
0004110668.tif 000004
【図４】
0004110668.tif 000005